(57)【特許請求の範囲】
【請求項１】
処理容器内に設けられ、載置台を兼用する下部電極と、この下部電極に対向し、処理ガス供給用のガスシャワーヘッドを兼用する上部電極と、を備え、下部電極及び上部電極間に電圧を印加して処理ガスをプラズマ化し、そのプラズマにより載置台上の基板に対して処理を行うプラズマ処理装置において、
前記上部電極は、ガス供給路が形成された上部部材と、この上部部材の下方側に積層されると共に冷却媒体を通流するための冷却用流路が形成された冷却板と、この冷却板の下方側に積層された電極板と、前記冷却板及び電極板に跨って厚さ方向に伸びかつ下部電極上に載置された基板と対向する領域のほぼ全体に亘って形成された長さが２５ｍｍ以上のガス供給用の多数の孔部と、前記上部部材と冷却板との間に形成され、ガス供給路からのガスを拡散して各孔部に分配するための分配用空間部と、を備え、
前記分配用空間部の高さは１ｍｍから５ｍｍの間であり、分配用空間部には拡散板が設けられていないことを特徴とするプラズマ処理装置。
【請求項２】
冷却板は、冷却流路が形成された上側冷却板と、この上側冷却板の下面側に分離可能に面接触して設けられた下側冷却板と、を備えたことを特徴とする請求項１記載のプラズマ処理装置。
【請求項３】
冷却板には温度検出手段が設けられており、この温度検出手段にて得られる温度検出値に基づき、冷媒温度の制御が行われることを特徴とする請求項１または２に記載のプラズマ処理装置。
【請求項４】
ガス供給路は上部部材の中心から偏心した位置にて当該上部部材の厚さ方向に形成されたことを特徴とする請求項１ないし３のいずれか一つに記載のプラズマ処理装置。
【発明の詳細な説明】
【０００１】
【発明の属する技術分野】
本発明は例えば半導体ウエハに対してエッチング処理を行うためのプラズマ処理装置に関する。
【０００２】
【従来の技術】
半導体デバイスの製造において半導体ウエハ（以下ウエハと省略する）表面に対してプラズマを用いてエッチングを行う場合があり、その装置の一つとしては例えば上部電極と下部電極間に電圧を印加してプラズマを生成する平行平板型プラズマ処理装置がある。この装置の従来例について図８を参照しながら説明する。
【０００３】
図中１１は真空チャンバであり、その内部にはウエハＷの載置台を兼用する下部電極１２が設けられている。この下部電極１２の上面はウエハＷを水平姿勢にて載置できるように形成されており、この下部電極１２の上面に載置されるウエハＷと対向する位置には処理ガス供給用のガスシャワーヘッドを兼用する上部電極２が設けられている。上部電極２にはガス供給管１３が接続されており、ガス供給管１３から供給される処理ガスは上部電極２の内部を通り、当該上部電極２の下端面に形成される多数の孔部２１を介してウエハＷの表面全体に供給されるようになっている。そして、高周波電源部１５により上部電極２及び下部電極１２に高周波電圧を印加してウエハＷ上方に供給された処理ガスをプラズマ化すると共に、下部電極１２に高周波電源部１４により高周波バイアスを印加することによりウエハＷに対して処理を行う。また真空チャンバ１１の底面には排気口１６が形成されており、この排気口１６と連通する図示しない真空ポンプの働きにより真空チャンバ１１内の排気が可能とされている。
【０００４】
上部電極２は、図９に示すように下段をなす電極板２２と、中段をなす冷却板２３と、上段をなす上部部材２４とを層状に積み重ねた構成とされており、上部部材２４の上面中央部には高周波電源部１５と接続する電極棒２４ａが設けられている。また上部部材２４内部の外縁近傍には、チラー流路２４ｂが例えば周方向に形成されており、冷却板２３を介して電極板２２の冷却を行う構成とされている。冷却板２３から上部部材２４に跨る内部領域には、前記チラー流路２４ｂよりも下方側位置に、ガス供給管１３からのガスを拡散して各孔部２１に分配するための分配用空間部であるバッフルスペース２５が形成されており、このバッフルスペース２５の上端中央部には例えば上部電極２の上面に接続するガス供給管１３と連通する上部ガス流路２６が屈曲して形成されている。また電極板２２及び冷却板２３には、バッフルスペース２５の下端から電極板２２の下面に至るまでガス供給用の孔部２１が形成されている。
【０００５】
上部ガス流路２６がバッフルスペース２５の上端中央部に接続されている理由は、処理ガスを各孔部２１に偏りなく均等に向かわせるためであり、更に例えばバッフルスペース２５の内部には図９にも示すように上下に複数の拡散板２５ａが設けられており、バッフルスペース２５の上端部中央から供給される処理ガスが拡散板２５ａに形成される多数の孔部２５ｂを通過して、下方に向かうに連れて各孔部２１に均等に拡散されるようになっている。
【０００６】
【発明が解決しようとする課題】
ところでプラズマによるエッチング処理では、処理ガスの解離によって生じた反応生成物やウエハＷ表面から生じた掘削物などが温度の低い方へ向かうため、電極板２２の温度をウエハＷの表面温度よりも低くなるように設定することにより反応生成物が電極板２２に向かい、そこに一部が付着する。しかしながら、上述装置においては、処理ガスを均等に拡散させるためにバッフルスペース２５を上部部材２４と冷却板２３との間に介在させていることから、電極板２２の冷却効率が悪く、ウエハＷの処理を重ねていくうちに電極板２２がウエハ温度よりも昇温してしまい、上記の反応生成物がウエハＷ側に向かうようになる。
【０００７】
このため、反応生成物が例えば図１０に示すようにある程度までエッチングが進行した凹部Ｗ１に入り込み、この入り込んだ反応生成物が更なるエッチングの進行を妨げてしまういわゆる抜け性の低下が起こり、結果としてエッチング速度が低下する場合がある。このためロットの前半と後半との間でエッチング速度が変わってしまい、品質にばらつきが生じるという課題があった。
【０００８】
本発明はこのような事情に基づいてなされたものであり、その目的は、上部電極における電極板の冷却効率を高め、安定したプラズマ処理を行うことのできるプラズマ処理装置を提供することにある。
【０００９】
【課題を解決するための手段】
本発明に係るプラズマ処理装置は、処理容器内に設けられ、載置台を兼用する下部電極と、この下部電極に対向し、処理ガス供給用のガスシャワーヘッドを兼用する上部電極と、を備え、下部電極及び上部電極間に電圧を印加して処理ガスをプラズマ化し、そのプラズマにより載置台上の基板に対して処理を行うプラズマ処理装置において、
前記上部電極は、ガス供給路が形成された上部部材と、この上部部材の下方側に積層されると共に冷却媒体を通流するための冷却用流路が形成された冷却板と、この冷却板の下方側に積層された電極板と、前記冷却板及び電極板に跨って厚さ方向に伸びかつ下部電極上に載置された基板と対向する領域のほぼ全体に亘って形成された長さが２５ｍｍ以上のガス供給用の多数の孔部と、前記上部部材と冷却板との間に形成され、ガス供給路からのガスを拡散して各孔部に分配するための分配用空間部と、を備え、
前記分配用空間部の高さは１ｍｍから５ｍｍの間であり、分配用空間部には拡散板が設けられていないことを特徴とする。
【００１０】
このような構成によれば、従来は上部部材内に形成されていた冷却用流路が冷却板内に形成され、更に分配用空間部は上部部材と冷却板との間に形成されるため、冷却流路と電極板との間にガスを拡散させるためのスペースが介在することがなくなり、電極板の冷却効率が向上する。また分配用空間部の高さと孔部の長さとを調整することで、当該分配用空間部内に拡散板を設けなくとも、処理ガスを均一に拡散させることが可能である。
【００１１】
更に上記構成において、冷却板に温度検出手段を設け、この温度検出手段にて得られる温度検出値に基づき、冷媒温度の制御が行うようにすることが好ましく、このようにすることで精度の高い温度制御を行うことができるため、製品の品質が向上する。更にまた、ガス供給路は上部部材の中心から偏心した位置にて当該上部部材の厚さ方向に形成されることが好ましい。
【００１２】
【発明の実施の形態】
以下に本発明に係るプラズマ処理装置の実施の形態を、図１〜図３を参照しながら説明する。図１は本実施の形態の全体構成を示す縦断面図であり、図中３１は例えばアルミニウム等で形成される処理容器をなす真空チャンバである。この真空チャンバ３１の内壁は後述する処理ガスの流れ等を考慮して例えば円筒状に形成されており、壁面には図示しない搬送アームを介してウエハＷの搬入出を行うための開口部３２が形成され、ゲートバルブ３３により開閉自在となっている。また真空チャンバ３１の底面にはバルブＶ１を介して真空ポンプ３４へと連通する排気口３５が形成されている。
【００１３】
真空チャンバ３１の内部には、例えば円柱状に形成されたウエハＷの載置台を兼用する下部電極４が設けられており、この下部電極４は、後述する上部電極５に印加される高周波成分の侵入を阻止するためのハイパスフィルタ４１を介し、例えば周波数２ＭＨｚのバイアス用の電圧を供給する高周波電源４２に接続されている。この下部電極４はその下方側を例えば油圧シリンダーまたはボールネジ機構等よりなる昇降機構４３により支持されており、例えば真空チャンバ３１の外方に設けられる駆動機構４４の働きにより昇降可能とされている。昇降機構４３の周囲には、下部電極４の底面と真空チャンバ３１の底面との間で上下に挟まれるようにベローズ４５が設けられており、エッチング処理時において下部電極４の下方側にプラズマが入り込むことを防ぐ構成とされている。
【００１４】
下部電極４の上面部には、静電チャック４６が設けられており、静電チャック４６は、導電性を有しシート状をなす電極板４６ａと、この電極板４６ａの表裏を挟むように設けられるポリイミド層４６ｂとを備えている。電極板４６ａには直流電源４７からの直流電圧を印加することによりクーロン力を発生させて、静電チャック４１に載置されたウエハＷを仮保持できるようになっている。なおこの電極板４６ａは前記バイアス用の高周波電源４２からの高周波が印加される電極板を兼用している。また静電チャック４６の周囲には、プラズマをウエハＷの周縁に至るまで均等に広げると共に、当該プラズマが一定以上に広がることを抑えてプラズマ密度を高めるために例えば炭化ケイ素（ＳｉＣ）からなるフォーカスリング４８が設けられている。
【００１５】
真空チャンバ３１の天井部には、下部電極４上のウエハＷと対向するように下端面にガス供給用の多数の孔部５１を有する、処理ガス供給用のガスシャワーヘッドを兼用する上部電極５が設けられており、この上部電極５の側方はシールドリング５２にて囲まれている。上部電極５にはその内部で前記孔部５１と連通するガス供給管５３の一端が接続されており、当該ガス供給管５３の他端側はバルブＶ２を介して処理ガス供給源５４と接続されている。また上部電極５は、下部電極４に印加される高周波成分の侵入を防ぐためのローパスフィルタ５５を介して高周波電源５６と接続されている。高周波電源５６は既述の高周波電源４２よりも高い周波数例えば６０ＭＨｚの高周波電圧を供給できるようになっている。
【００１６】
次いで、図２を参照しながら本実施の形態の要部をなす上部電極５の細部について説明を行う。上部電極５は上から順に上部部材５Ａ、冷却板５Ｂ及び電極板５Ｃを層状に積み重ねた構成とされており、冷却板５Ｂについては上側冷却板５７と下側冷却板５８とからなる。各部材同士は面接触して接合されるが、上側冷却板５７と下側冷却板５８とはボルト６１により、また下側冷却板５８と電極板５Ｃとはボルト６２により夫々上下に着脱自在に固定されている。
【００１７】
上部部材５Ａの内部には、例えば当該上部部材５Ａの上端面の中心部から偏移した位置に接続されるガス供給管５３から真下に延びるガス供給路６３が形成されており、このガス供給路６３の下端は上部部材５Ａと上側冷却板５７との間に形成される分配用空間部６４へと接続されている。この分配用空間部６４は、上側冷却板５７上面の凹部と上部部材５Ａの底面部とでその周囲を囲まれる円柱状の空間であり、ガス供給路６３を介して供給される処理ガスを横方向に拡散して各孔部５１へと分配するためのものである。また孔部５１は各々が分配用空間部６４の下端面から電極板５Ｃの下端面まで真下に延びるように形成されており、その径は下方側の方が細くなるように二段階（太径部５１ａ，細径部５１ｂ）の太さとされている。具体的には例えば下側冷却板５８内の太径部５１ａでは口径２ｍｍ、電極板５Ｃ内の細径部５１ｂでは口径０．５ｍｍである。
【００１８】
また、上側冷却板５７における分配用空間部６４の外側位置には、上端が上部部材５Ａの下端面に接する位置に冷媒を通流するための冷却用流路をなすチラー流路６５が例えば周方向に形成されており、その内部を流れる冷媒の温度を調節することで、下側冷却板５８を介して電極板５Ｃの温度調節（冷却）を行うことができるようになっている。
。
【００１９】
ここで図２及び図３を参照しながら、分配用空間部６４及び孔部５１（太径部５１ａ，細径部５１ｂ）の具体的な大きさ及び位置について説明を行う。本装置が８インチウエハを対象とし、分配用空間部６４の下端面６４ａの直径を約２２０ｍｍとした場合、その高さＡは３ｍｍ±２ｍｍ（１ｍｍ以上、５ｍｍ以下）であることが好ましい。その理由はＡが５ｍｍより大きいと横方向への抵抗が小さくなるためガス供給路６３直下での流出量が少なくなり、孔部５１からの流出量の均一性が悪化し、１ｍｍよりも小さいとガス供給路６３の直下の孔部５１からの流出量多くなり各孔部５１におけるガス流量の均一性が悪化するからである。そして孔部５１については、例えば太径部５１ａの口径を２ｍｍ、細径部の口径を０．５ｍｍとした場合、その全長は２５ｍｍ以上であることが好ましい。その理由は２５ｍｍ以上であれば後述のシュミレーション結果からも分かるように各孔部５１におけるガス流量の均一性が高いからである。
【００２０】
また上部電極５に関連する他の部位について説明すると、例えば上部部材５Ａの上面部中央には、高周波電源５６の高周波電圧を上部電極５に供給するための電極棒６７が設けられている。また分配用空間部６４の形成領域の側方位置には、上部部材５Ａから冷却板５Ｂ（例えば上側冷却板５７を貫通して下側冷却板５８の途中まで）へと貫通して温度検出手段６８が設けられている。この温度検出手段６８にて検出された温度検出値は、図示しない温度制御部へと送られ、この温度検出値に基づき例えばチラー流路６５内の冷媒温度を変化させることで電極板５Ｃの温度を調節できるようになっている。
【００２１】
次いで本実施の形態の作用について説明する。先ずゲートバルブ３３を開くと図示しない搬送アームが真空チャンバ３１内に進入し、下部電極４内に設けた図示しない昇降ピンとの協働作用により静電チャック４６上にウエハＷを載置する。そして搬送アームが退出し、ゲートバルブ３３を閉じた後、真空チャンバ３１内が所定の真空度となるように真空排気を行いながらガス供給管５４を介してＣＦ系などの処理ガスの供給が行われる。処理ガスは分配用空間部６４内で横方向に拡散し、各孔部５１からウエハＷ上方へと供給される。
【００２２】
このとき上部電極５と下部電極４との間に高周波電源５６から例えば６０ＭＨＺの高周波電圧を印加して処理ガスをプラズマ化すると共に、その後所定時間例えば１秒経過後に高周波電源４２から例えば２ＭＨｚのバイアス用の高周波電圧を下部電極４に印加する。そしてウエハＷ上方のプラズマにより、ウエハＷ表面のエッチングが進行し、所定時間経過後に処理ガスの供給及び高周波電源４２，５６による高周波電圧の印加を停止し、ウエハＷを搬出する。
【００２３】
なおウエハＷの処理を繰り返すと、プラズマに直接晒される電極板５Ｃの下端面が損傷し、所定の時期に電極板５Ｃを下側冷却板５８から取り外し、例えば損傷した電極板５Ｃを予備の電極板５Ｃと交換する。また反応生成物が孔部５１の中まで入り込んで付着し、当該付着物の量が多くなるとパーティクルの要因となる。従って、このような場合には下側冷却板５８を取り外し、例えば装置外部にて洗浄する。
【００２４】
これまで述べてきたように本実施の形態によれば、冷却板５Ｂを上下２段に分割して互いに面接触するように構成し、上側冷却板５７にチラー流路６５を設けているため、当該チラー流路６５と電極板５Ｃとの間にガスを拡散させるためのスペース（分配用空間部６４や従来のバッフルスペース）が介在しなくなり、電極板５Ｃの冷却効率が高くなった。この結果、後述の実施例からも明らかなようにウエハＷの処理が連続して繰り返されて行われても電極板５Ｃの昇温が抑えられ、ウエハＷのロットの前後において処理のばらつきが緩和され、安定したエッチング処理を行うことができる。また反応生成物が上部電極５の孔部５１内に入り込んで洗浄が必要になったとしても、チラー流路が設けられていない下側冷却板５８を外して洗浄を行えばよいので、メンテナンス性が悪くなることもない。
【００２５】
更に後述の実施例で述べるように、本発明者は分配用空間部６４に拡散板を配置しなくても、孔部５１の長さと分配用空間部６４の高さとを調整することにより上部電極５の下面から高い均一性をもって処理ガスをウエハＷに供給できることを把握している。このため孔部５１の長さを既述のように２５ｍｍ以上例えば３０ｍｍに、また分配用空間部６４の高さを既述のように１ｍｍ〜５ｍｍ例えば３ｍｍに夫々調整することにより、均一なガスの供給を行うことができると共に、ガス拡散板が不要であることから構造が簡単になる。
【００２６】
そしてまた、上部電極５の中心部に電極棒６７が接続されているため、ガス供給管５３は上部電極５の中心部から偏心した箇所に接続しなければならないが、分配用空間部６４におけるガス供給路６３の開口位置については、分配用空間部６４の中心部から外れた位置であっても、中心部に開口した場合と同様の効果を得ることができるから、ガス供給路６３を従来のように中央部まで屈曲させる必要がなくなり、加工が容易になる。
【００２７】
更にはガス供給路６３を外縁部近傍に形成しているため、中央部に空きスペースをつくることができ、この空きスペースにこれまで設置できなかった装置例えば温度センサー等を設けることができる。この空きスペースは、例えばマグネトロン装置にように、上部電極の上端に高周波電圧印加用の電極棒を設ける必要のない装置において特に有効である。
【００２８】
なお、上部電極の構成は上述実施の形態のものに限られるものではなく、同様の効果を奏するものである限り、異なる構成とすることも可能である。一例としては、上部電極内のガス供給路を図７に示すような構成としたものを挙げることができる。この実施の形態は図７(a)に示すように、上部電極７における冷却板７Ｂ（上側冷却板７１）の上面を窪ませて、当該冷却板７Ｂ上面と上部部部材７Ａ下面との間に分配用空間部７３を形成すると共に、この分配用空間部７３内に多数の凸部７４を設けたものである。この分配用空間部７３は上述実施の形態における分配用空間部６４に相当するものであり、高さ及び幅は例えば分配用空間部６４と同様である。また、上部部材７Ａ内にはこの分配用空間部７３の中央部に処理ガスを供給するようにガス供給路７５が屈曲して設けられている。
【００２９】
図７(b)は、分配用空間部７３における凸部７４の配置状況を示す部分平面図である。図示するように凸部７４は分配用空間部７３内で処理ガスが横方向全域に均一に拡散するように例えばほぼ均等間隔に設けられており、この凸部７４が形成されていない部分に冷却板７Ｂ（７１，７２）から電極板７Ｃの下端面まで貫通する多数の孔部７６が連通する構成とされている。また図中７７はチラー流路であり、７８は電極棒、７９はボルトである。
【００３０】
本実施の形態によれば、分配用空間部７３及びこれに連通する孔部７６の位置関係は上述実施の形態と同様であるため、従来のようにバッフルスペースを設けることなく処理ガスを各孔部７６に均一に拡散させることができる。また、上側冷却板７１の上面に凸部７４を多数設けたことで、上側冷却板７１と上部部材７Ａとの接触面積が増加するため、チラー流路を例えば上部部材７Ａに設けたとしても十分に電極板７Ｃを冷却することができるようになる。この場合には、冷却板７Ｂを２つに分割せず、単一の部材として構成してもよい。
【００３１】
【実施例】
（実施例１）
本発明の効果を確認するため、上部電極に昇温対策を施した装置（上述実施の形態における上部電極５に相当）と昇温対策を施さない装置（従来の発明にて示した上部電極２に相当）とを用いた比較実験を行った。ここでは便宜上前者を本願装置、後者を従来装置と呼ぶものとする。先ず８インチウエハを用い、上部電極及び下部電極に印加する電力を夫々２１７０Ｗ，１５５０Ｗとし、処理ガスとしてＣ5Ｆ8，Ａｒ及びＯ2を夫々１５ｓｃｃｍ，３８０ｓｃｃｍ，１９ｓｃｃｍで供給しながらプラズマ処理を行い、上部電極の下端面に設けられる電極板の温度を８分間測定したところ、その温度変化は図４に示すようになった。図中実線はウエハ中央部の温度を、点線はウエハ中央部から１００ｍｍ位置（以下周縁部という）における温度を示すものであり、夫々菱形のマークは本願装置を、四角のマークは従来装置を示すものである。
【００３２】
この結果によれば、中央部、周縁部のいずれにおいても従来装置よりも本願装置の方が温度が低くなっており、またその傾斜についても本願装置の方が従来装置よりもなだらかであることから、本願装置の方が冷却効果が高く、電極板の温度が安定していることが分かった。また図５に示す特性図は上述実験と同様の実験を複数回繰り返して行ったときの電極板温度を測定し、その結果を示したものであるが、こちらの試験でも本願装置の方が従来装置よりも温度が低く推移しており、更に中央部及び周縁部の双方において本願装置では２〜３枚目以降概ね安定していることから冷却効果は処理枚数が増加しても継続することが確認できた。
（実施例２）
そして次に、本願装置における分配用空間部６４の高さＡと、孔部５１の長さとを変化させたときの、各孔部５１からウエハＷに供給される処理ガス流量の均一性を比較する試験を行った。ここでは実測の困難性に鑑み、以下の計算条件及び計算式に基づいてシュミレーションを行うものとし、Ａ＝３ｍｍとして孔部（ガス流路）５１の長さＢを１４．４ｍｍ，３０ｍｍと変化させ、またＡ＝４ｍｍとして孔部５１の長さＢを５ｍｍ、１４ｍｍ、３０ｍｍと変化させ、各条件の間で全ての孔部５１におけるガス流量の均一性を比較することとした。
【００３３】
（計算条件）ガス供給路６３の口径＝５ｍｍ，ガス供給路６３から供給されるガスの流量＝４３９ｓｃｃｍ，分配用空間部６４の下端面６４ａの径＝２２０ｍｍ，孔部５１の数＝３８５個，孔部５１の口径＝０．５ｍｍ                  （計算式）計算する孔部５１の長さＢ毎に、以下の(1)(2)式に基づいて抵抗を設定し、(3)式にて得られる値に基づきガス流量の均一性を比較する。なおΔｐは圧力差（Ｐａ）、Ｃｆは抵抗係数、ρは密度（ｋｇ／ｍ３）、μは粘性係数（Ｋｇ／ｍ・ｓ）、Ｌは管の長さ（ｍ）、ｄは管径（ｍ）、ｖは平均流速（ｍ）である。
Δｐ＝１／２ρ・Ｃｆ・ｖ２                      …(1)
Ｃｆ＝（６４μ・Ｌ）／ｄ２・ρ                  …(2)
（（最大流量−最小流量）／流量の平均値）／２   …(3)
これら(1)，(2)式によればＢ＝１４．４ｍｍのときにＣｆ＝５５４５．８，Ｂ＝３０ｍｍのときにＣｆ＝１１５５３．７７，Ｂ＝５ｍｍのときにＣｆ＝１９２６であり、上記データに基づき夫々の場合において孔部５１（３８５個全てについて）から吐出される処理ガスの流量の算出を行った。この流量の算出は流体質量の保存式や流体運動量の保存式を用いたアルゴリズムにより行われるものであり、例えば株式会社ソフトウエアクレイドル社製の流量解析プログラム「ＳＴＲＥＡＭ」を用いて行うことが可能である。こうして各設定条件下における最大流量と最小流量とを算出し、上記の計算式(3)により得た数値をプロットしたところ、図６に示す特性図が得られた。(3)式にて得られる数値は、各孔部５１におけるガス流量のばらつきを示すものであり、小さいほど均一性が高いことを示すものである。従って、拡散板を用いなくても孔部５１の長さを適切な値に設定することによりガス流量のばらつきが小さくなることが判明した。また、このデータに基づけばＡ＝３ｍｍのときＢを２５ｍｍ以上に設定することにより、ガス流量の均一性が高くなることが分かった。
【００３４】
【発明の効果】
以上のように本発明によれば、上部電極における電極板の冷却効率を高め、安定したプラズマ処理を行うことができる。
【図面の簡単な説明】
【図１】本発明に係るプラズマ処理装置の実施の形態を示す縦断面図である。
【図２】前記プラズマ処理装置に設けられる上部電極を示す縦断面図である。
【図３】前記上部電極の一部を示す部分断面図である。
【図４】本実施の形態の効果を確認する試験の結果を示す特性図である。
【図５】本実施の形態の効果を確認する試験の結果を示す特性図である。
【図６】本実施の形態の効果を確認する試験の結果を示す特性図である。
【図７】本発明に係るプラズマ処理装置の他の実施の形態を示す説明図である。
【図８】従来技術によるプラズマ処理装置の全体構成を示す概略縦断面図である。
【図９】従来技術による上部電極を示す縦断面図である。
【図１０】従来技術における問題点を示すための説明図である。
【符号の説明】
Ｗ        半導体ウエハ
１１      真空チャンバ
２        上部電極
２５      バッフルスペース
２５ａ    拡散板
２６      上部ガス流路
３１      真空チャンバ
４        下部電極
４２      高周波電源
４６      静電チャック
５        上部電極
５Ａ      上部部材
５Ｂ      冷却板
５Ｃ      電極板
５１      孔部
５６      高周波電源
５７      上側冷却板
５８      下側冷却板
６４      分配用空間部
６５      チラー流路（冷却用流路）
【図１】
0003982678.tif 000002
【図２】
0003982678.tif 000003
【図３】
0003982678.tif 000004
【図４】
0003982678.tif 000005
【図５】
0003982678.tif 000006
【図６】
0003982678.tif 000007
【図７】
0003982678.tif 000008
【図８】
0003982678.tif 000009
【図９】
0003982678.tif 000010
【図１０】
0003982678.tif 000011